(57)【要約】【課題】パケット通信における通信経路の最適化が図れる通信システムを提供する。【解決手段】通信システム１０は、ＬＴＥ端末及び狭帯域端末、として通信可能な端末２０と、外部から受信したパケットの特性に基づいて、前記パケットＰの送信先を判断する制御部１０２と、前記端末２０が無線接続するｅＮｏｄｅＢ２０２と、前記端末２０が無線接続する基地局３００と、を備え、前記制御部１０２は、前記特性に基づいて、前記ｅＮｏｄｅＢ２０２又は前記基地局３００に前記パケットＰを送信する。【選択図】図１
2015216563.tif 000002
【特許請求の範囲】
【請求項１】
ＬＴＥ（Long Term Evolution）端末及び狭帯域端末、として通信可能な端末と、
外部から受信したパケットの特性に基づいて、前記パケットの送信先を判断する制御部と、
前記端末が無線接続するｅＮｏｄｅＢ（evolved Node B）と、
前記端末が無線接続する基地局と、
を備え、
前記制御部は、前記特性に基づいて、前記ｅＮｏｄｅＢ又は前記基地局に前記パケットを送信する
ことを特徴とする通信システム。
【請求項２】
請求項１記載の通信システムにおいて、
前記特性は、前記パケットの容量又は種類の少なくとも一方であること
ことを特徴とする通信システム。
【請求項３】
請求項２記載の通信システムにおいて、
前記制御部は、前記パケットの容量が所定の閾値よりも小さい場合には、前記パケットを前記基地局に送信する
ことを特徴とする通信システム。
【発明の詳細な説明】
【技術分野】
【０００１】
本発明は、狭帯域端末としても通信可能な端末を備える通信システムに関する。
【背景技術】
【０００２】
従来の地域防災無線システムは、統制局と子局を備え、統制局が子局に対して、一斉指令を送信し、一斉指令を受信した子局は一斉指令の内容に基づいて、同報発信を行うシステムである（特許文献１参照）。
【先行技術文献】
【特許文献】
【０００３】
【特許文献１】特開２００５−１０１７２７号公報
【発明の概要】
【発明が解決しようとする課題】
【０００４】
しかしながら、従来の地域防災無線システムにおける子局の通信帯域は狭帯域であるために、統制局から子局に送信するパケットが動画や音声データのように大容量である場合には、効率的に通信を行えなかった。
【０００５】
また、従来の地域防災無線システムでは、子局がＬＴＥ（Long Term Evolution）端末及び狭帯域端末、として通信可能な端末である場合の統制局と子局とのパケット通信が想定されていなかった。
【０００６】
本発明は、上記の課題を考慮してなされたものであって、ＬＴＥ端末及び狭帯域端末、として通信可能な端末を用いたパケット通信における通信経路の最適化を図る通信システムを提供することを目的とする。
【課題を解決するための手段】
【０００７】
本発明に係る通信システムは、ＬＴＥ（Long Term Evolution）端末及び狭帯域端末、として通信可能な端末と、外部から受信したパケットの特性に基づいて、前記パケットの送信先を判断する制御部と、前記端末が無線接続するｅＮｏｄｅＢ（evolved Node B）と、前記端末が無線接続する基地局と、を備え、前記制御部は、前記特性に基づいて、前記ｅＮｏｄｅＢ又は前記基地局に前記パケットを送信することを特徴とする。
【０００８】
また、前記通信システムにおいて、前記特性は、前記パケットの容量又は種類の少なくとも一方であることを特徴とする。
【０００９】
さらに、前記通信システムにおいて、前記制御部は、前記パケットの容量が所定の閾値よりも小さい場合には、前記パケットを前記基地局に送信することを特徴とする。
【発明の効果】
【００１０】
本発明の通信システムによれば、パケットの特性に基づいてパケットの送信先を判断することにより、ＬＴＥ端末及び狭帯域端末、として通信可能な端末を用いたパケット通信における通信経路の最適化が図れる。また、パケットをパケットの容量に基づいて判断し、ＥＰＣに送信することにより大容量のパケットも適切に送信することができる。
【図面の簡単な説明】
【００１１】
【図１】本発明の実施形態に係る通信システムの説明図である。
【図２】記憶部が備えるテーブルの説明図である。
【図３】通信システムの処理手順についての説明図である。
【発明を実施するための形態】
【００１２】
以下、本発明の実施形態について図面を参照して説明する。図１は、本発明の実施形態に係る通信システム１０の説明図である。図２は、記憶部１０６が備えるテーブル１０８の説明図である。
【００１３】
＜通信システム１０の構成の説明＞
通信システム１０は、端末２０ａ〜２０ｃ、通信装置１００、ＥＰＣ（Evolved Packet Core）２００、ｅＮｏｄｅＢ（evolved Node B）２０２、基地局３００及びアプリケーションサーバ４００を備える。
【００１４】
端末２０ａ〜２０ｃ（以下、適宜「端末２０」という）は、狭帯域端末、ＬＴＥ端末として通信可能な端末である。端末２０を狭帯域端末として通信する場合の通信方式は、狭帯域デジタル通信方式である。狭帯域デジタル通信方式で通信する場合には、使用周波数帯が６０ＭＨｚ帯であるデジタル同報通信機又は使用周波数帯が２６０ＭＨｚ帯であるデジタル移動無線機として機能しうる。また、端末２０をＬＴＥ端末として通信する場合の通信方式は、標準規格団体である３ＧＰＰ(Third Generation Partnership Project)によって定められた通信規格に基づく通信方式である。
【００１５】
通信装置１００は、制御部１０２、通信部１０４及び記憶部１０６を備える。通信装置１００は、一般には、統制局に設けられる。制御部１０２は、主として、アプリケーションサーバ４００から送信されるパケットの特性として容量、種類等を判断し、端末２０に送信するための制御を行う制御部である。通信部１０４は、端末２０とアプリケーションサーバ４００との通信処理を行う。記憶部１０６は、テーブル１０８を備える。
【００１６】
テーブル１０８には、端末２０ａ〜２０ｃをＬＴＥ端末又は狭帯域端末として識別するためのＩＰアドレス、識別符号（ＩＤ）が記憶される。テーブル１０８では、端末２０ａに対して、ＩＰアドレスとしてx.x.x.x、ＩＤとしてＩａが記憶される。同様に、端末２０ｂ、２０ｃに対して、ＩＰアドレスとしてy.y.y.y、z.z.z.z、ＩＤとしてＩｂ、Ｉｃが記憶されている。
【００１７】
ＥＰＣ２００は、コアネットワークである。ｅＮｏｄｅＢ２０２は、端末２０がＬＴＥ端末として、無線接続する基地局である。基地局３００は、端末２０が狭帯域端末として、無線接続する基地局である。
【００１８】
アプリケーションサーバ４００は、端末２０に対して、動画や音声データ等を提供するアプリケーションサーバである。
【００１９】
＜通信システム１０の動作の説明＞
次に、通信システム１０の動作について、図３を用いて説明する。図３は、通信システム１０の処理手順についての説明図である。
【００２０】
以下、端末２０ａがアプリケーションサーバ４００と通信する場合について説明する。なお、端末２０ｂ、２０ｃがアプリケーションサーバ４００と通信する場合も、端末２０ａと通信する場合と同様の処理手順であるので、その説明を省略する。
【００２１】
まず、アプリケーションサーバ４００からパケットＰが通信装置１００に送信される（ステップＳ１）。アプリケーションサーバ４００から通信装置１００に送信されるパケットＰには、端末２０ａのＩＰアドレスとしてx.x.x.xが含まれている。
【００２２】
通信装置１００の制御部１０２は、通信部１０４を介してパケットＰを受信し、パケットＰの容量を確認する（ステップＳ２）。パケットＰの容量が閾値Ｃよりも大きい場合（ステップＳ２  Ｙｅｓ）には、パケットＰをそのまま変換せずに、通信部１０４、ＥＰＣ２００を介して端末２０ａ〜２０ｃに送信する（ステップＳ３）。
【００２３】
端末２０ａ〜２０ｃは各々、パケットＰを受信し、パケットＰからＩＰアドレスを取得し、自己のＩＰアドレスと照合する（ステップＳ４）。
【００２４】
端末２０ａでは、パケットＰから取得したＩＰアドレスがx.x.x.xであり、自己のＩＰアドレスと一致するので、パケットＰが端末２０ａの記憶部（図示無し）に記憶される（ステップＳ５）。なお、端末２０ｂ、２０ｃでは、受信したパケットＰは破棄される。
【００２５】
一方、パケットＰの容量が閾値Ｃよりも小さい場合（ステップＳ２  Ｎｏ）には、パケットＰにＩＤとしてＩａを追記し、追記したパケットＰを端末２０ａ〜２０ｃで受信できるデータ形式に変換し、通信部１０４、基地局３００を介して、変換したデータを端末２０ａ〜２０ｃに送信する（ステップＳ６）。
【００２６】
端末２０ａ〜２０ｃは各々、データを受信し、データからＩＤを取得し、自己のＩＤと照合する（ステップＳ７）。
【００２７】
端末２０ａでは、データから取得したＩＤがＩａであり、自己のＩＤと一致するので、当該データに基づいて、処理がされる（ステップＳ８）。処理として、例えば、端末２０ａは、音声通報をする。
【００２８】
通信システム１０は、ＬＴＥ端末及び狭帯域端末、として通信可能な端末２０と、外部から受信したパケットの特性に基づいて、前記パケットＰの送信先を判断する制御部１０２と、前記端末２０が無線接続するｅＮｏｄｅＢ２０２と、前記端末２０が無線接続する基地局３００と、を備え、前記制御部１０２は、前記特性に基づいて、前記ｅＮｏｄｅＢ２０２又は前記基地局３００に前記パケットＰを送信する。
【００２９】
また、前記特性は、前記パケットＰの容量又は種類の少なくとも一方である。さらに、前記制御部１０２は、前記パケットＰの容量が所定の閾値よりも小さい場合には、前記パケットＰを前記基地局３００に送信する。
【００３０】
通信システム１０では、パケットＰの特性に基づいてパケットＰの送信先を判断することにより、ＬＴＥ端末及び狭帯域端末、として通信可能な端末を用いたパケット通信における通信経路の最適化が図れる。また、パケットＰをパケットの容量に基づいて判断し、ＥＰＣ２００に送信することにより大容量のパケットも適切に送信することができる。
【００３１】
なお、本発明は、上述の実施形態に限らず、本発明の要旨を逸脱することなく、種々の構成を採り得ることはもちろんである。
【００３２】
上記実施形態では、通信装置１００が受信するパケットは、アプリケーションサーバ４００から送信されているが、通信装置１００に送信されるパケットであれば、アプリケーションサーバ４００から送信されるパケットに限定されるものではなく、アプリケーションサーバ４００以外から送信されるパケットであってもよい。
【００３３】
また、上記実施形態では、制御部１０２は、パケットＰの特性としてパケットの容量に基づいて判断していたが、これに限定されるものではない。例えば、パケットの種類やスループットに基づいて判断してもよい。
【符号の説明】
【００３４】
１０…通信システム
２０ａ〜２０ｃ…端末
１００…通信装置
１０２…制御部
１０４…通信部
１０６…記憶部
１０８…テーブル
２００…ＥＰＣ
２０２…ｅＮｏｄｅＢ
３００…基地局
４００…アプリケーションサーバ
【図１】
2015216563.tif 000003
【図２】
2015216563.tif 000004
【図３】
2015216563.tif 000005